(57)【要約】【課題】  スピーカを備えるバックドアにおいて、バックドアトリムをバックドア本体に取り付ける際にバックドアトリムがスピーカに接触することがない、バックドアトリム取付構造及び取付方法を提供する。【解決手段】  バックドア本体１０は、車幅方向中央部でバックドア本体の上部に設けられたスピーカ２０と、車幅方向中央部においてスピーカと同じ高さに設けられたガイド部３４を有する。バックドアトリム１２は、車幅方向中央部に被ガイド部４８を有する。バックドアトリムを前記バックドア本体に接近させていくと被ガイド部がガイド部に接触しながらガイドされることにより、バックドアトリムがバックドア本体に取り付けられる。【選択図】図１
2019202655.tif 000002
【特許請求の範囲】
【請求項１】
車両用バックドアにおいてバックドアトリムをバックドア本体に取り付けるバックドアトリム取付構造であって、
（ａ）  前記バックドア本体は、
車幅方向中央部で前記バックドア本体の上部に設けられたスピーカと、
車幅方向中央部において前記スピーカと同じ高さに設けられたガイド部を備えており、
（ｂ）  前記バックドアトリムは、
車幅方向中央部において車長方向に伸びる被ガイド部を備えており、
（ｃ）  前記バックドアトリムを前記バックドア本体に接近させていくと前記被ガイド部が前記ガイド部に接触しながらガイドされることにより前記バックドアトリムが前記バックドア本体に取り付けられる、
ことを特徴とするバックドアトリム取付構造。
【請求項２】
（ｄ）  前記バックドア本体は、
車幅方向中央部に設けられた第１の基準孔と、
車幅方向両側部に設けられた第２の基準孔を備えており、
（ｅ）  前記バックドアトリムは、
車幅方向中央部に設けられた第１の基準ピンと、
車幅方向両側部に設けられた第２の基準ピンを備えており、
（ｆ）  前記バックドアトリムを前記バックドア本体に接近させていくと前記被ガイド部が前記ガイド部に当接し、
前記被ガイド部が前記ガイド部に当接した位置から、前記被ガイド部が前記ガイド部に接触した状態を維持しながら前記バックドアトリムを前記バックドア本体にさらに接近させると、前記バックドアトリムが前記スピーカから次第に離れていき、
（ｇ）  前記ガイド部と前記被ガイド部は、前記バックドアトリムを前記バックドア本体に接近させていくと、前記被ガイド部が前記ガイド部に当接する第１の状態、続いて前記被ガイド部が前記ガイド部に接触した状態を維持しながら前記ガイド部に対して前記被ガイド部が移動する第２の状態へと変化し、
（ｈ）  前記第１の状態と前記第２の状態において、前記第１の基準ピンは前記第１の基準孔に挿入された位置をとり且つ前記第２の基準ピンは前記第２の基準孔に未挿入の位置をとる、
ことを特徴とする請求項１に記載のバックドアトリム取付構造。
【請求項３】
（ｉ）  前記ガイド部と前記被ガイド部は、前記第２の状態に続いて、前記被ガイド部が前記ガイド部から離間する第３の状態へと変化し、
（ｊ）  前記第３の状態において前記第１の基準ピンは前記第１の基準孔に挿入された位置をとり且つ前記第２の基準ピンは前記第２の基準孔に挿入された位置をとる、
ことを特徴とする請求項２に記載のバックドアトリム取付構造。
【請求項４】
前記被ガイド部は、車長方向に関して前方から後方に向かって上り勾配であることを特徴とする請求項１〜３のいずれかに記載のバックドアトリム取付構造。
【請求項５】
前記バックドア本体は車幅方向中央部にリアワイパブラケットを備えており、
前記スピーカは前記リアワイパブラケットに設けられていることを特徴とする請求項１〜４のいずれかに記載のバックドアトリム取付構造。
【請求項６】
前記ガイド部が前記リアワイパブラケットに設けられていることを特徴とする請求項５に記載のバックドアトリム取付構造。
【請求項７】
請求項１〜６のいずれかに記載のバックドア取付構造を備えた車両用バックドア。
【請求項８】
車両用バックドアにおいてバックドアトリムをバックドア本体に取り付けるバックドアトリム取付方法であって、
（ａ）  前記バックドア本体は、
車幅方向中央部に設けられたスピーカと、
車幅方向中央部において前記スピーカと同じ高さに設けられたガイド部を備えており、
（ｂ）  前記バックドアトリムは、
車幅方向中央部において車長方向に伸びる被ガイド部を備えており、
（ｃ）  前記バックドアトリム取付方法は、前記ガイド部で前記被ガイド部をガイドしながら、前記バックドアトリムを前記バックドア本体に接近させていくことを特徴とする、バックドアトリム取付方法。
【発明の詳細な説明】
【技術分野】
【０００１】
本発明は、バックドアトリム取付構造及びバックドアトリム取付方法に関する。本発明はまた、そのバックドアトリム取付構造を備えた車両用バックドアに関する。
【背景技術】
【０００２】
車両の変速シフトレバーが後進に設定された状態で、車両後部に設けたセンサが車両後方の障害物を検知すると、運転席の近くに設けたスピーカから警告音を発するように構成された支援システムが特許文献１に開示されている。
【先行技術文献】
【特許文献】
【０００３】
【特許文献１】特開２０００−１７７５１２号
【０００４】
ところが、このような後方障害物検知及び警告システムでは、運転席の近くからではなく、車室後方から警告音を発生させることが好ましい。これは、前席乗員（特に、ドライバ）が後方側に衝突の危険があることを直感的に理解しやすいためである。
【０００５】
一方、車室内にスピーカを配置する場合、振動板を除く音源部分（磁石、ヨーク、コイル）を頑丈な車両本体（例えば、インナパネル）に固定し、その周囲がトリムで隠される。このとき、まず車両本体にスピーカを固定し、その後車両本体に対してトリムが取り付けられる。しかし、音源部分と違って、スピーカの振動板は柔らかいコーン紙で作られており、トリムとの接触によって傷付くおそれがある。
【発明の概要】
【発明が解決しようとする課題】
【０００６】
そこで、本発明は、スピーカを備えた車両用バックドアにおいて、バックドア本体に対してバックドアトリムを取り付けるにあたってスピーカを傷つけることのない、バックドアトリム取付構造等を提供することを目的とする。
【課題を解決するための手段】
【０００７】
この目的を達成するために、請求項１に係る実施形態のバックドアトリム取付構造は、
車両用バックドアにおいてバックドアトリムをバックドア本体に取り付ける構造であって、
（ａ）  前記バックドア本体は、
車幅方向中央部で前記バックドア本体の上部に設けられたスピーカと、
車幅方向中央部において前記スピーカと同じ高さに設けられたガイド部を備えており、
（ｂ）  前記バックドアトリムは、
車幅方向中央部において車長方向に伸びる被ガイド部を備えており、
（ｃ）  前記バックドアトリムを前記バックドア本体に接近させていくと前記被ガイド部が前記ガイド部に接触しながらガイドされることにより前記バックドアトリムが前記バックドア本体に取り付けられる、
ことを特徴とする。
【０００８】
請求項１の形態に係るバックドアトリム取付構造によれば、バックドアトリムをバックドア本体へ取り付ける際に、バックドアトリムの被ガイド部がバックドア本体のガイド部に接触しながらガイドされることで、バックドアトリムの動きが規制され、スピーカとバックドアトリムとの干渉が抑制される。
【０００９】
請求項２に係る実施形態のバックドアトリム取付構造は、
（ｄ）  前記バックドア本体は、
車幅方向中央部に設けられた第１の基準孔と、
車幅方向両側部に設けられた第２の基準孔を備えており、
（ｅ）  前記バックドアトリムは、
車幅方向中央部に設けられた第１の基準ピンと、
車幅方向両側部に設けられた第２の基準ピンを備えており、
（ｆ）  前記バックドアトリムを前記バックドア本体に接近させていくと前記被ガイド部が前記ガイド部に当接し、
前記被ガイド部が前記ガイド部に当接した位置から、前記被ガイド部が前記ガイド部に接触した状態を維持しながら前記バックドアトリムを前記バックドア本体にさらに接近させると、前記バックドアトリムが前記スピーカから次第に離れていき、
（ｇ）  前記ガイド部と前記被ガイド部は、前記バックドアトリムを前記バックドア本体に接近させていくと、前記被ガイド部が前記ガイド部に当接する第１の状態、続いて前記被ガイド部が前記ガイド部に接触した状態を維持しながら前記ガイド部に対して前記被ガイド部が移動する第２の状態へと変化し、
（ｈ）  前記第１の状態と前記第２の状態において、前記第１の基準ピンは前記第１の基準孔に挿入された位置をとり且つ前記第２の基準ピンは前記第２の基準孔に未挿入の位置をとる、
ことを特徴とする。
【００１０】
請求項２の形態に係るバックドアトリム取付構造によれば、バックドアトリムをバックドア本体へ取り付ける際に、バックドアトリムの被ガイド部がバックドア本体のガイド部に接触しながらガイドされることで、バックドアトリムの動きが規制され、スピーカとバックドアトリムが干渉することなく、バックドアトリムが基準ピンによって位置決めされる。
【００１１】
請求項３に係る実施形態のバックドアトリム取付構造は、
（ｉ）  前記ガイド部と前記被ガイド部は、前記第２の状態に続いて、前記被ガイド部が前記ガイド部から離間する第３の状態へと変化し、
（ｊ）  前記第３の状態において前記第１の基準ピンは前記第１の基準孔に挿入された位置をとり且つ前記第２の基準ピンは前記第２の基準孔に挿入された位置をとる、
ことを特徴とする。
【００１２】
請求項３の形態に係るバックドアトリム取付構造によれば、バックドアトリムをバックドア本体へ取り付ける際に、バックドアトリムが基準ピンによってより確実に位置決めされることで、バックドアトリムの動きがより確実に規制され、スピーカとバックドアトリムが干渉することがなくなる。
【００１３】
請求項４に係る実施形態のバックドアトリム取付構造は、
前記被ガイド部は、車長方向に関して前方から後方に向かって上り勾配であることを特徴とする。
【００１４】
請求項４の形態に係るバックドアトリム取付構造によれば、被ガイド部とガイド部が当たっているとき、バックドアトリムがスピーカよりも上方に向かってガイドされることになるので、スピーカとバックドアトリムとの干渉がより確実に抑制される。
【００１５】
請求項５に係る実施形態のバックドアトリム取付構造は、
前記バックドア本体は車幅方向中央部にリアワイパブラケットを備えており、
前記スピーカは前記リアワイパブラケットに設けられていることを特徴とする。
【００１６】
請求項５の形態に係るバックドアトリム取付構造によれば、部品を追加することなく、スピーカをバックドア本体に取り付けることができる。
【００１７】
請求項６に係る実施形態のバックドアトリム取付構造は、
前記ガイド部が前記リアワイパブラケットに設けられていることを特徴とする。
【００１８】
請求項６の形態に係るバックドアトリム取付構造によれば、スピーカが配置されるリアワイパブラケットにガイド部を設けることで、部品を追加することなく、スピーカとバックドアトリムとの干渉が抑制される。
【００１９】
請求項７に係る実施形態の車両用バックドアは、
請求項１〜６のいずれかに記載のバックドア取付構造を備える。
【００２０】
請求項７の形態に係る車両用バックドアによれば、バックドアトリムとの干渉がなく、スピーカが取り付けられたバックドアが提供される。
【００２１】
請求項８に係る実施形態のバックドアトリム取付方法は、
車両用バックドアにおいてバックドアトリムをバックドア本体に取り付ける方法であって、
（ａ）  前記バックドア本体は、
車幅方向中央部に設けられたスピーカと、
車幅方向中央部において前記スピーカと同じ高さに設けられたガイド部を備えており、
（ｂ）  前記バックドアトリムは、
車幅方向中央部において車長方向に伸びる被ガイド部を備えており、
（ｃ）  前記バックドアトリム取付方法は、前記ガイド部で前記被ガイド部をガイドしながら、前記バックドアトリムを前記バックドア本体に接近させていくことを特徴とする。
【００２２】
請求項８のバックドアトリム取付方法によれば、バックドアトリムをバックドア本体へ取り付ける際に、バックドアトリムの被ガイド部がバックドア本体のガイド部に接触しながらガイドされることで、バックドアトリムの動きが規制され、スピーカとバックドアトリムとの干渉が抑制される。
【発明の効果】
【００２３】
このように、本発明の実施形態によれば、バックドアトリムをバックドア本体に取り付ける際に、バックドアトリムがスピーカに接触してこれを汚したり損傷することがない。
【図面の簡単な説明】
【００２４】
【図１】本発明の実施形態に係る、バックドアトリムの取付前のバックドアの構造を示す断面図である。
【図２】図１に示すガイド部と被ガイド部周辺の拡大図である。
【図３】バックドアトリムの取付において、被ガイド部がガイド部に当接したときのバックドアの断面図である。
【図４】被ガイド部がガイド部に接触した状態を維持しながら移動するときのバックドアの断面図である。
【図５】被ガイド部がガイド部から離間するときのバックドアの断面図である。
【図６】バックドアトリムの取付が完了したバックドアの断面図である。
【図７】バックドアを車長方向内側から見た平面図である。
【図８】図７の断面Ａにおけるバックドアトリムの取付前のバックドアの断面図である。
【図９】図７の断面Ａにおける被ガイド部がガイド部に当接したときのバックドアの断面図である。
【図１０】図７の断面Ａにおけるバックドアトリムの取付が完了したバックドアの断面図である。
【図１１】図７の断面Ｂにおけるバックドアトリムの取付前のバックドアの断面図である。
【図１２】図７の断面Ｂにおける被ガイド部がガイド部から離間するときのバックドアの断面図である。
【図１３】図７の断面Ｂにおけるバックドアトリムの取付が完了したバックドアの断面図である。
【発明を実施するための形態】
【００２５】
以下、本発明の実施形態について添付図面を参照しながら説明する。
【００２６】
（１）車両用バックドアの構成
図１〜図６は、本発明の実施形態に係るバックドアトリム取付構造及び取付方法を説明するための図である。以下、図面を参照して説明するバックドア取付構造及び取付方法は、所謂跳ね上げ式バックドアを対象としている。しかし、本発明は、片開き方式及び両開き方式のバックドアについても同様に適用可能である。
【００２７】
通常、車両用バックドア（１００：図７参照）は、金属等からなる剛性のアウタパネルとインナパネルを含むバックドア本体を有する。バックドア本体上部領域には窓用開口部が形成されており、そこにバックドアガラスが取り付けてある。バックドアガラス直下のバックドア本体下部領域にはリアワイパの駆動系が取り付けてある。一般には、車幅方向に関してバックドア本体下部領域中央部にリアワイパブラケット（以下、「ブラケット」という。）が固定されており、このブラケットにモータ、ギヤボックス、ワイパ駆動軸が配置されている。ワイパ駆動軸は、バックドア本体又はバックドアガラスを貫通して車室外に突出しており、そこにワイパ（ブレード）が固定されている。通常、リアワイパの駆動系はバックドアトリムに覆われており、外部からこれを確認することはできないようになっている（図７参照）。
【００２８】
このような一般的バックドア構成において、図１〜図６はインナパネル１０とその内側（車室側）に取り付けられるバックドアトリム１２の構成のみを示しており、アウタパネルの構造は図面から省略されている。バックドアガラスについては図１に点線で表れており、符合１４が当てられている。
【００２９】
（ａ）インナパネル
バックドア本体を構成するインナパネル１０の構成について具体的に説明すると、インナパネル１０の車長方向（車両前後方向）中央縦断面は上から下に向かって略Ｓ字を描くようになめらかに湾曲している。インナパネル１０の車幅方向中央部には、車室の内側から外側に向かって凸状に湾曲した前面部分（バックドアトリム対向面部分）１６に、ワイパ駆動系を支持するブラケット１８が固定されている。ブラケット１８は、モータ、ギヤボックス、ワイパ駆動軸（いずれも図示せず）の他に、スピーカ２０を支持している。周知のとおり、スピーカは、円錐形の振動板と、その背後に配置された音源部分（磁石、ヨーク、コイル）を備えている。ただし、図面が複雑になるのを避けるため、図面はスピーカの上端部分のみを示し、その他の部分は図面から省略されている。
【００３０】
インナパネル１０の略中段には、インナパネル１０にバックドアトリム１２を取り付ける際に、インナパネル１０に対するバックドアトリム１２の動きを規制するための一つの第１の孔（以下、「第１の基準孔」という。）２２及び一対の第２の孔（以下、「第２の基準孔」という。）２４（図１１〜図１３参照）と、インナパネル１０に対してバックドアトリム１２を固定するための孔（以下、「上段留め孔」という。）２６が形成されている。また、インナパネル１０の略下段には、インナパネル１０に対してバックドアトリム１２を固定するための孔（以下、「下段留め孔」という。）２８が形成されている。
【００３１】
実施形態では、第１の基準孔２２は車幅方向の中央部に設けてある。第２の基準孔２４（図１１〜図１３参照）は、車幅方向に関して左右対称に、インナパネル１０の左右両側に設けてある。上段留め孔２６と下段留め孔２８は、車幅方向の中央部と、車幅方向に関して左右両側に対称に設けてある。
【００３２】
ブラケット１８のスピーカ取付部３０は、車長方向に関して前方から後方に向かって次第に高くなるように一定の勾配が付けてあり、これにより、スピーカ取付部３０に取り付けたスピーカ２０の中心軸（放音軸）３２がバックドアガラス１４に向けられている。スピーカ取付部３０の角度、すなわち、スピーカ２０の傾斜角は、バックドアガラス１４で反射した音が図示するように車室前方の前席乗員に向けて送られるように決めることが好ましい。反射音が後部座席に吸収される割合を出来るだけ小さくするために、反射後の音の進行方向は水平面に対して上方に向けられることが好ましい。
【００３３】
ブラケット１８にはまた、後述するように、インナパネル１０にバックドアトリム１２を取り付ける際にバックドアトリム１２をガイドするガイド部３４が設けてある。実施形態において、ガイド部３４は、車幅方向に伸びる断面Ｌ形部材で構成されており、スピーカ２０の前方に配置されている。また、ガイド部３４の上端３６は、スピーカ２０の前方上端部と同じ高さ（完全に同じ高さである必要はない。）に揃えてある。
【００３４】
（ｂ）バックドアトリム
バックドアトリム１２は、インナパネル１０よりも柔らかい材料、例えば合成樹脂等で作られている。実施形態のバックドアトリム１２の車長方向縦断面は全体が略ブラケット形状（コ字形状）をしており、上下に伸びる垂直部分３８と、垂直部分３８の上端から前方に膨れた膨出部分４０と該膨出部分４０の上端から後方に向かって伸びる後方延長部４２を有する上部湾曲部４４と、垂直部分３８の下端から後方に向かってほぼ真っ直ぐに伸びる下部延長部４６を有する。
【００３５】
上部湾曲部４４の内面（後面）の車幅方向中央部には、インナパネル１０のガイド部３４と協働する被ガイド部４８が設けてある。実施形態において、被ガイド部４８は、車長方向に向けて配置された垂直板で構成されている。被ガイド部４８の下端、すなわち、垂直板の下端縁は、車長方向の後方から前方に向かって順次配置された３つの直線状傾斜縁部（第１の縁部５０、第２の縁部５２、第３の縁部５４）を備えている。実施形態では、バックドアトリム１２が図１，２に示す姿勢（図１〜６は、バックドアトリムをインナパネルに取り付ける際の両者の相対的な位置関係を示す。）にあるとき、第１の縁部５０はその前端から後端に向かって第１の勾配を有し、第２の縁部５２はその前端から後端に向かって第２の勾配を有し、第３の縁部５４はその前端から後端に向かって第３の勾配を有し、それら３つの勾配が第１の勾配＞第２の勾配＞第３の勾配の関係を有するように決められている。
【００３６】
バックドアトリム１２の後面（インナパネル１０の対向面）には、第１の基準孔２２に対応するピン（以下、「第１の基準ピン」という。）６２と、第２の基準孔２４に対応する一対のピン（以下、「第２の基準ピン」という。）６４（図１１〜図１３参照）、上段留め孔２６に対応する上段留め具６６、及び下段留め孔２８に対応する下段留め具６８が設けてある。
【００３７】
（２）バックドアトリムの取り付け
バックドアトリム１２をインナパネル１０に取り付ける手順を説明する。まず、図１，２に示すように、バックドアトリム１２をインナパネル１０に向けて接近させていく。このとき、第１の基準ピン６２、第２の基準ピン６４（図１１参照）、上段留め具６６、下段留め具６８はそれぞれ、対応する第１の基準孔２２、第２の基準孔２４（図１１参照）、上段留め孔２６、下段留め孔２８の前方に位置している。図示するバックドアトリム１２とインナパネル１０の姿勢は両者の相対的な関係を示すものであって、実際には、バックドア１００（インナパネル１０を含む。）を跳ね上げた状態で、バックドアトリム１２が取り付けられる。図１，２から明らかなように、この状態で、被ガイド部４８の第１の縁部５０がガイド部３４の上端３６に対向している。
【００３８】
次に、図１，２に示す状態から更にバックドアトリム１２をインナパネル１０に接近させていくと、図３に示す状態に移行する。図３に示す状態では、被ガイド部４８の第２の縁部５２の後端部分（第１の縁部５０に隣接する部分）がガイド部３４の上端３６に当接する（第１の状態）。この時点で、第１の基準ピン６２（図９参照）、第２の基準ピン６４（図１１参照）はいずれも、対応する第１の基準孔２２（図９参照）、第２の基準孔２４（図１１参照）に入っていない。
【００３９】
次に、図３に示す状態から更にバックドアトリム１２をインナパネル１０に接近させていくと、図４に示すように被ガイド部４８の第２の縁部５２がガイド部３４の上端３６に接触した状態を維持しながらガイドされるとともに、第１の基準ピン６２が対応する第１の基準孔２２に進入していく（第２の状態）。このとき、被ガイド部４８の第２の縁部５２は所定の勾配を有するため、その勾配の角度に応じて、バックドアトリム１２がインナパネル１０に対して上昇する。この結果、バックドアトリム１２とスピーカ２０との干渉が防止される。
【００４０】
次に、図４に示す状態から更にバックドアトリム１２をインナパネル１０に接近させていき、図５に示すように被ガイド部４８における第２の縁部５２の前端がガイド部３４の上端３６に一致した状態で、第１の基準ピン６２は対応する第１の基準孔２２に十分進入している。また、この時点で、第２の基準ピン６４が対応する第２の基準孔２４に進入する（図１２参照）。
【００４１】
したがって、図５に示す状態から更にバックドアトリム１２をインナパネル１０に接近させていくと、第１の基準ピン６２と第２の基準ピン６４が対応する第１の基準孔２２と第２の基準孔２４に規制されながらガイドされていく（図１０，１３参照）。そのため、図５に示す状態以後、被ガイド部４８はガイド部３４から離間し（第３の状態）、被ガイド部４８がガイド部３４によってガイドされることはないが、第１の基準孔２２と第２の基準孔２４のガイド機能によって、バックドアトリム１２はインナパネル１０に対してその適正な取り付け位置にガイドされ、これにより上段留め具６６と下段留め具６８が対応する上段留め孔２６と下段留め孔２８に嵌まり、バックドアトリム１２がインナパネル１０に固定される。
【００４２】
このように、上述した実施形態に係るバックドアトリム取付構造及び取付方法によれば、バックドアトリム１２をインナパネル１０に取り付けるにあたって、バックドアトリム１２とスピーカ２０の干渉が防止されるため、スピーカ２０が汚れたり損傷することはない。
【００４３】
以上の説明では、第３の状態で、被ガイド部４８はガイド部３４から離間したが、離間せずにバックドアトリムの取付が行われてもよい。
【符号の説明】
【００４４】
１００：バックドア
１０：インナパネル
１２：バックドアトリム
１４：バックドアガラス
１８：リアワイパブラケット
２０：スピーカ
２２：第１の基準孔
２４：第２の基準孔
３４：ガイド部
４８：被ガイド部
６２：第１の基準ピン
６４：第２の基準ピン
【図１】
2019202655.tif 000003
【図２】
2019202655.tif 000004
【図３】
2019202655.tif 000005
【図４】
2019202655.tif 000006
【図５】
2019202655.tif 000007
【図６】
2019202655.tif 000008
【図７】
2019202655.tif 000009
【図８】
2019202655.tif 000010
【図９】
2019202655.tif 000011
【図１０】
2019202655.tif 000012
【図１１】
2019202655.tif 000013
【図１２】
2019202655.tif 000014
【図１３】
2019202655.tif 000015